(57)【要約】【課題】連続した頁の印刷情報に基づいてターゲットに両面印刷を実行する場合に、ターゲットの表面及び裏面のいずれを印刷しているかを識別できる印刷装置、及び印刷装置による印刷方法を提供する。【解決手段】インクジェット式プリンタには、用紙に印刷すべき印刷情報を連続した頁の印刷情報として記憶すると共に、記憶されている印刷情報に基づいて用紙の表面及び裏面のいずれに印刷情報が印刷されるのかを判断するとともに、表面が印刷された用紙の裏面に対して印刷すべき印刷情報が存在する場合に、該用紙を反転させて両面印刷を実行する制御装置が設けられている。この制御装置は、用紙の表面が最終ページであると判断した場合に、該表面が印刷された用紙が反転して排出されるように、予め設定された所定処理を実行する。【選択図】図４
2008062601.tif 000002
【特許請求の範囲】
【請求項１】
ターゲットに印刷すべき印刷情報を連続した頁の印刷情報として記憶する記憶手段と、該記憶手段に記憶されている前記印刷情報に基づいて前記ターゲットの表面及び裏面のいずれに印刷情報が印刷されるのかを判断するとともに、表面が印刷されたターゲットの裏面に対して印刷すべき印刷情報が存在する場合に、該ターゲットを反転させて両面印刷を実行する制御手段と、を備え、
前記制御手段は、ターゲットの表面が最終ページであると判断した場合に、該表面が印刷されたターゲートが反転して排出されるように、予め設定された所定処理を実行する印刷装置。
【請求項２】
前記制御手段には、
表面が印刷されたターゲットを反転させると共に、表面及び裏面の両面が印刷されたターゲットを排出させる排出制御部と、
ターゲットの表面が最終ページであると判断した場合に、前記所定処理として白紙ページからなる印刷情報を生成する白紙生成部と、が設けられており、
前記排出制御部は、前記白紙生成部によって前記白紙ページからなる印刷情報が生成された場合に、該印刷情報に基づき、最終ページが表面に印刷されたターゲートを反転して排出させる請求項１に記載の印刷装置。
【請求項３】
ターゲットに印刷すべき印刷情報を連続した頁の印刷情報として記憶し、該印刷情報に基づいて前記ターゲットの表面及び裏面のいずれに印刷情報が印刷されるのかを判断するとともに、表面が印刷されたターゲットの裏面に対して印刷すべき印刷情報が存在する場合に、該ターゲットを反転させて両面印刷を実行する印刷装置による印刷方法において、
ターゲットの表面が最終ページであると判断した場合には、予め設定された所定処理を実行することにより、最終ページが印刷されたターゲートを反転して排出するようにした印刷装置による印刷方法。
【発明の詳細な説明】
【技術分野】
【０００１】
本発明は、印刷装置、及び印刷装置による印刷方法に関する。
【背景技術】
【０００２】
従来、ターゲットの一種である葉書に両面印刷が可能な印刷装置として、例えば特許文献１に記載の印刷装置が提案されている。この特許文献１に記載の印刷装置では、葉書の表面に印刷される住所や氏名などに関する表側印刷情報と、裏面に印刷される定型文などに関する裏側印刷情報とが印刷されるべき印刷面の識別情報を付与された状態で記憶手段に記憶されるようになっている。そして、両面印刷時には、印刷装置の制御部により記憶手段から表側印刷情報と裏側印刷情報とがそれぞれ読み出され、葉書の表面に住所や氏名などが印刷された後、その葉書が印刷装置内で表裏を反転させられ、該葉書の裏面に定型文などが印刷された後、印刷済みの葉書が常に裏面を上側に向けた状態で印刷装置から排出されるようになっていた。
【特許文献１】特開平７−７８１４３号公報
【発明の開示】
【発明が解決しようとする課題】
【０００３】
ところで、特許文献１に記載の印刷装置では、ターゲットの表面側に印刷すべき表側印刷情報と裏面側に印刷すべき裏側印刷情報とが予め識別された状態で記憶手段に記憶されている場合、両面印刷が実行可能に構成されている。ところが、表側印刷情報と裏側印刷情報とに識別されない状態で連続した頁の印刷情報が記憶手段に記憶されるような印刷装置であっては、両面印刷中にターゲットの表面及び裏面のいずれを印刷しているのかを識別できないという問題があった。
【０００４】
本発明は、このような事情に鑑みてなされたものであり、その目的は、連続した頁の印刷情報に基づいてターゲットに両面印刷を実行する場合に、ターゲットの表面及び裏面のいずれを印刷しているかを識別できる印刷装置、及び印刷装置による印刷方法を提供することにある。
【課題を解決するための手段】
【０００５】
上記目的を達成するために、本発明の印刷装置は、ターゲットに印刷すべき印刷情報を連続した頁の印刷情報として記憶する記憶手段と、該記憶手段に記憶されている前記印刷情報に基づいて前記ターゲットの表面及び裏面のいずれに印刷情報が印刷されるのかを判断するとともに、表面が印刷されたターゲットの裏面に対して印刷すべき印刷情報が存在する場合に、該ターゲットを反転させて両面印刷を実行する制御手段と、を備え、前記制御手段は、ターゲットの表面が最終ページであると判断した場合に、該表面が印刷されたターゲートが反転して排出されるように、予め設定された所定処理を実行する。
【０００６】
この発明によれば、連続した頁の印刷情報に基づいた両面印刷が実行されている間に、ターゲットの表面及び裏面のいずれが印刷されているかが判断される。そして、最終ページがターゲットの表面に印刷されたと判断された場合、所定処理が実行されることにより、最終ページが表面に印刷されたターゲットは、表裏が反転された状態で印刷装置から排出される。したがって、連続した頁の印刷情報に基づいてターゲットに両面印刷を実行する場合に、ターゲットの表面及び裏面のいずれを印刷しているかを識別できるため、各ターゲットに対して両面印刷をページ順に行った場合に、そのページ順に各ターゲットをそれぞれ排出することができる。
【０００７】
本発明の印刷装置において、前記制御手段には、表面が印刷されたターゲットを反転させると共に、表面及び裏面の両面が印刷されたターゲットを排出させる排出制御部と、ターゲットの表面が最終ページであると判断した場合に、前記所定処理として白紙ページからなる印刷情報を生成する白紙生成部と、が設けられており、前記排出制御部は、前記白紙生成部によって前記白紙ページからなる印刷情報が生成された場合に、該印刷情報に基づき、最終ページが表面に印刷されたターゲートを反転して排出させる。
【０００８】
この発明によれば、最終ページがターゲットの表面に印刷されたと判断された場合には、白紙生成部により白紙ページからなる印刷情報が生成される。そして、この白紙ページからなる印刷情報が生成されたことにより、まだ印刷すべき印刷情報があるものと排出制御部に認識させ、印刷情報に含まれるコマンドに従って、該排出制御部に最終ページが表面に印刷されたターゲートを反転し、そのまま排出する。その結果、最終ページがターゲットの表面に印刷された場合に、該ターゲットを、その表裏を反転させた状態で印刷装置外に排出させることが可能になる。
【０００９】
本発明の印刷装置による印刷方法は、ターゲットに印刷すべき印刷情報を連続した頁の印刷情報として記憶し、該印刷情報に基づいて前記ターゲットの表面及び裏面のいずれに印刷情報が印刷されるのかを判断するとともに、表面が印刷されたターゲットの裏面に対して印刷すべき印刷情報が存在する場合に、該ターゲットを反転させて両面印刷を実行する印刷装置による印刷方法において、ターゲットの表面が最終ページであると判断した場合には、予め設定された所定処理を実行することにより、最終ページが印刷されたターゲートを反転して排出するようにした。
【００１０】
この発明によれば、連続した頁の印刷情報に基づいた両面印刷が実行されている間に、ターゲットの表面及び裏面のいずれが印刷されているかが判断される。そして、最終ページがターゲットの表面に印刷されたと判断された場合、所定処理が実行されることにより、最終ページが表面に印刷されたターゲットは、表裏が反転された状態で印刷装置から排出される。したがって、連続した頁の印刷情報に基づいてターゲットに両面印刷を実行する場合に、ターゲットの表面及び裏面のいずれを印刷しているかを識別できるため、各ターゲットに対して両面印刷をページ順に行った場合に、そのページ順に各ターゲットをそれぞれ排出することができる。
【発明を実施するための最良の形態】
【００１１】
以下、本発明の印刷装置及び印刷装置による印刷方法を具体化した一実施形態を図１〜図４に従って説明する。なお、以下における本明細書中の説明において、「上下方向」、「左右方向」、「前後方向」は図１における上下方向、左右方向、前後方向をそれぞれ示すものとする。
【００１２】
図１に示すように、本実施形態の印刷装置としてのインクジェット式プリンタ１１は、略矩形箱状をなす本体ケース１２を備えている。本体ケース１２内の下部には、その長手方向に沿う左右方向に沿ってプラテン１３が架設されている。プラテン１３は、ターゲットとしての用紙Ｐを支持する支持台であって、本体ケース１２の後壁外側に設けられた紙送りモータ１４の駆動力に基づき、紙送り機構２５（図２参照）が用紙Ｐを左右方向と直交する前後方向に沿って給送するようになっている。
【００１３】
また、本体ケース１２内においてプラテン１３の上方にはガイド軸１５が架設される。すなわち、キャリッジ１６は左右方向に貫通形成された支持孔１６ａにガイド軸１５が挿通されることにより、このガイド軸１５の長手方向に沿って往復移動自在に支持されている。また、本体ケース１２の後壁内面においてガイド軸１５の両端部と対応する位置には、駆動プーリ１７ａ及び従動プーリ１７ｂが回転自在に支持されている。駆動プーリ１７ａにはキャリッジ１６を往復移動させる際の駆動源となるキャリッジモータ１８の出力軸が連結されるとともに、これら一対のプーリ１７ａ，１７ｂ間には、キャリッジ１６に連結された無端状のタイミングベルト１７が掛装されている。したがって、キャリッジ１６は、ガイド軸１５にガイドされながら、キャリッジモータ１８の駆動力により無端状のタイミングベルト１７を介して左右方向に移動可能となっている。
【００１４】
また、図１に示すように、キャリッジ１６の下面側には、記録ヘッド１９が設けられる一方、キャリッジ１６上には記録ヘッド１９に対してインクを供給するためのインクカートリッジ２１が着脱可能に搭載されている。そして、このインクカートリッジ２１内に収容されたインクは、図２に示すように、図示しない圧電素子の駆動により記録ヘッド１９の下面にて構成されるノズル形成面１９ａに開口するノズル２０に供給されるようになっている。
【００１５】
次に、本実施形態の紙送り機構２５について図２に基づき以下説明する。
図２に示すように、紙送り機構２５には、紙送りモータ１４の駆動によって正逆両方向に回転可能な駆動ローラ２６と、該駆動ローラ２６に従動して回転する従動ローラ２７とからなる紙送りローラ対２８が設けられ、駆動ローラ２６は、紙送りモータ１４によって正逆両方向に回転可能に構成されている。紙送りローラ対２８は、記録ヘッド１９よりも後側に配置されると共に、紙送りローラ対２８よりも後側には、該紙送りローラ対２８に向けて用紙Ｐを給送する用紙給送装置２９が設けられている。また、紙送りローラ対２８及び記録ヘッド１９よりも前側には、印刷済みの用紙Ｐをインクジェット式プリンタ１１外に排出するための排紙ローラ対３０が設けられている。すなわち、駆動ローラ２６が正方向に回転した場合、用紙給送装置２９から給送された用紙Ｐは、排紙ローラ対３０側に給送されるようになっている。
【００１６】
用紙給送装置２９には、紙送りモータ１４の駆動に基づき回転する給紙ローラ３１と、該給紙ローラ３１に向けて用紙Ｐを付勢するホッパ３２と、給紙ローラ３１との間で用紙Ｐを挟圧することにより用紙Ｐ同士を分離させる分離パッド３３とが設けられている。用紙Ｐを紙送りローラ対２８側に給送する場合には、回転する給紙ローラ３１に向けてホッパ３２上の各用紙Ｐがホッパ３２によって押圧され、分離パッド３３によって一枚の用紙Ｐのみが紙送りローラ対２８に向けて給送されるようになっている。
【００１７】
排紙ローラ対３０は、紙送りモータ１４の駆動によって正逆両方向に回転可能な駆動ローラ３４と、該駆動ローラ３４に向けて付勢されている従動スターホイール３５とから構成されている。そして、排紙ローラ対３０は、駆動ローラ３４が正方向に回転することにより、印刷済みの用紙Ｐをインクジェット式プリンタ１１（本体ケース１２）外に排出するようになっている。すなわち、ホッパ３２、給紙ローラ３１、紙送りローラ対２８及び排紙ローラ対３０により、給紙用搬送路３６が形成されている。一方、駆動ローラ３４が逆方向に回転した場合、印刷済みの用紙（表面側のみ印刷された用紙）Ｐは、本体ケース１２内にバックフィードされるようになっている。
【００１８】
また、紙送り機構２５には、紙送りローラ対２８よりも後側であって、且つ用紙給送装置２９よりも下側の位置に反転ユニット３７が設けられている。この反転ユニット３７には、反転用大ローラ３８と、該反転用大ローラ３８よりも前側に配置された反転用小ローラ３９とが設けられている。そして、反転ユニット３７には、排紙ローラ対３０の駆動ローラ３４が逆方向に回転すると共に、紙送りローラ対２８の駆動ローラ２６が逆方向に回転した場合、印刷済みの用紙（表面側のみ印刷された用紙）Ｐが給送されてくるようになっている。そして、反転ユニット３７では、用紙Ｐの表裏を反転させ、再び、紙送りローラ対２８側に用紙Ｐを給送するようになっている。したがって、反転用小ローラ３９及び反転用大ローラ３８により、用紙Ｐの表裏を反転させつつ該用紙Ｐを再び紙送りローラ対２８側に給送する反転用搬送路４０が形成されている。
【００１９】
次に、インクジェット式プリンタ１１の電気的構成について図３に基づき以下説明する。
図３に示すように、インクジェット式プリンタ１１は、制御手段としての制御装置５０を備えている。そして、この制御装置５０は、ＣＰＵ５１、ＲＯＭ５２、ＲＡＭ５３及びＡＳＩＣ（Application Specific Integrated Circuit）５４などを備えたデジタルコンピュータと、各装置を駆動させるための駆動回路（図示略）とを主体として構成されている。また、制御装置５０は、インターフェース５５を介して各種情報の送受信が可能な状態でホストコンピュータ５６に接続されている。
【００２０】
ＲＯＭ５２には、各機構を制御するための制御プログラム（後述する両面印刷処理）などが記憶されている。また、ＲＡＭ５３には、インクジェット式プリンタ１１の駆動中に適宜書き換えられる各種情報や、ホストコンピュータ５６から受信した各種情報（例えば、印刷情報）などが記憶されるようになっている。この印刷情報には、複数ページ分の印刷情報がページ順に連続した状態で含まれている。したがって、本実施形態では、ＲＡＭ５３を備えた制御装置５０が、用紙Ｐに印刷すべき印刷情報を連続した頁の印刷情報として記憶する記憶手段としても機能する。そして、制御装置５０は、ＲＡＭ５３に記憶された印刷情報に基づき、紙送りモータ１４、キャリッジモータ１８及び上記圧電素子などを駆動させることにより、用紙Ｐに対して印刷を行うようになっている。
【００２１】
次に、本実施形態の制御装置５０が実行する各種処理ルーチンのうち給送された用紙Ｐに対して両面印刷を行う際に実行される両面印刷処理ルーチンについて図４に基づき以下説明する。
【００２２】
さて、制御装置５０は、所定周期毎（例えば、「０．０１」秒毎）に両面印刷処理ルーチンを実行する。そして、両面印刷処理ルーチンにおいて、制御装置５０は、ホストコンピュータ５６から受信した情報に基づき、両面印刷を実行するか否かを判定する（ステップＳ１０）。この判定結果が否定判定である場合、制御装置５０は、片面印刷（表面側のみの印刷）を示す情報を受信したと判断し、両面印刷処理ルーチンを終了する。一方、ステップＳ１０の判定結果が肯定判定である場合、制御装置５０は、印刷情報を連続した頁の印刷情報（用紙Ｐに印刷すべき情報）をホストコンピュータ５６から受信したか否かを判定する（ステップＳ１１）。この判定結果が否定判定である場合、制御装置５０は、両面印刷処理ルーチンを終了する。
【００２３】
一方、ステップＳ１１の判定結果が肯定判定である場合、制御装置５０は、両面フラグＢｆｌｇを「false 」にセットする（ステップＳ１２）。この両面フラグＢｆｌｇは、用紙Ｐの表面側に印刷を実行する際に（即ち、用紙Ｐの表面側に記録ヘッド１９からインクを吐出させる際に）「false 」にセットされる一方、用紙Ｐの裏面に印刷を実行する際に「true」にセットされるフラグである。
【００２４】
続いて、制御装置５０は、両面フラグＢｆｌｇが「false 」にセットされているか否かを判定する（ステップＳ１３）。すなわち、制御装置５０は、用紙Ｐの表面に印刷を行うか否かを判定する。ステップＳ１３の判定結果が肯定判定（Ｂｆｌｇ＝「false 」）である場合、制御装置５０は、紙送りモータ１４を駆動させることにより、給紙ローラ３１を回転させると共に、紙送りローラ対２８の駆動ローラ２６及び排紙ローラ対３０の駆動ローラ３４を共に正方向に回転させる（ステップＳ１４）。すなわち、制御装置５０は、給紙用搬送路３６を介して用紙Ｐを給送させる。続いて、制御装置５０は、Ｂｆｌｇを「true」にセットし（ステップＳ１５）、その処理を後述するステップＳ１８に移行する。
【００２５】
一方、ステップＳ１３の判定結果が否定判定（Ｂｆｌｇ＝「true」）である場合、制御装置５０は、紙送りモータ１４を駆動させることにより、紙送りローラ対２８の駆動ローラ２６及び排紙ローラ対３０の駆動ローラ３４を共に逆方向に回転させると共に、反転用小ローラ３９及び反転用大ローラ３８を回転させる（ステップＳ１６）。すなわち、制御装置５０は、反転用搬送路４０を介して用紙Ｐを給送させる。そして、制御装置５０は、両面フラグＢｆｌｇを「false 」にセットし（ステップＳ１７）、その処理を後述するステップＳ１８に移行する。
【００２６】
ステップＳ１８において、制御装置５０は、用紙Ｐに対して印刷を実行させると共に、印刷が完了した用紙Ｐを本体ケース１２外に排出させるようにする。すなわち、制御装置５０は、紙送りローラ対２８の駆動ローラ２６及び排紙ローラ対３０の駆動ローラ３４を共に正方向に回転させつつ、記録ヘッド１９からのインクの吐出によって用紙Ｐに対して印刷を実行する。そして、制御装置５０は、１ページの印刷が終了したか否かを判定する（ステップＳ１９）。この判定結果が否定判定である場合、制御装置５０は、１ページの印刷が未だ実行中であるものと判断し、ステップＳ１９の判定結果が肯定判定になるまで該ステップＳ１９の判定処理を繰り返し実行する。
【００２７】
一方、ステップＳ１９の判定結果が肯定判定になった場合、制御装置５０は、１ページの印刷が終了したと判断し、ＲＡＭ５３に記憶されている印刷情報に基づく印刷が終了したか否かを判断する（ステップＳ２０）。この判定結果が否定判定である場合、制御装置５０は、未だ印刷が終了していないものと判断し、その処理をステップＳ１３に移行する。一方、ステップＳ２０の判定結果が肯定判定である場合、制御装置５０は、両面フラグＢｆｌｇが「false 」にセットされているか否かを判定する（ステップＳ２１）。すなわち、制御装置５０は、ＲＡＭ５３に記憶されている印刷情報に基づく最後のページの印刷が用紙Ｐの裏面側に実行されたか否か、即ち印刷データに基づく最後のページが偶数ページであるか否かを判定する。
【００２８】
そして、ステップＳ２１の判定結果が否定判定（Ｂｆｌｇ＝「true」）である場合、ＲＡＭ５３に記憶されている印刷情報に基づく印刷の最終ページが奇数であると判断し、予め設定された所定処理として、擬似印刷情報（即ち、白紙のページを挿入させるための情報）を生成して該擬似印刷情報をＲＡＭ５３に記憶させる（ステップＳ２２）。そして、制御装置５０は、その処理をステップＳ１３に移行する。一方、ステップＳ２１の判定結果が肯定判定（Ｂｆｌｇ＝「false 」）である場合、制御装置５０は、両面印刷処理ルーチンを終了する。
【００２９】
なお、本実施形態では、制御装置５０のうちＡＳＩＣ５４が、紙送り機構２５の駆動を制御している。すなわち、上記両面印刷処理ルーチンのステップＳ１４及びステップＳ１６は、ＡＳＩＣ５４が実行する。また、制御装置５０のうちＣＰＵ５１が、白紙ページの擬似印刷情報の生成を行っている。そのため、最終ページが用紙Ｐの表面に印刷された場合、ＣＰＵ５１は、白紙ページの擬似印刷情報を生成し、該擬似印刷情報をＡＳＩＣ５４側に出力する。そして、擬似印刷情報を入力したＡＳＩＣ５４は、まだ印刷すべき印刷情報があるものと認識し、用紙Ｐを反転させ、擬似印刷情報に含まれるコマンド（排紙コマンド）に従って、用紙Ｐを排出させるように、紙送り機構２５の駆動を制御する。したがって、本実施形態では、ＡＳＩＣ５４が、排出制御部として機能すると共に、ＣＰＵ５１が、白紙生成部として機能する。
【００３０】
次に、用紙Ｐに対して両面印刷を実行する際の作用について以下説明する。なお、ホストコンピュータ５６側から５ページ分の印刷情報を制御装置５０が受信したものとする。
さて、ホストコンピュータ５６側から５ページ分の印刷情報が制御装置５０内に送信されると、インクジェット式プリンタ１１では、両面印刷が開始される。まず、用紙給送装置２９の駆動が開始されると共に、該紙送りローラ対２８の駆動ローラ２６及び排紙ローラ対３０の駆動ローラ３４が共に正方向に回転し始める。すると、用紙給送装置２９からは、１枚の用紙Ｐが紙送りローラ対２８に給送され、この用紙Ｐは、紙送りローラ対２８によって記録ヘッド１９の直下位置まで搬送される。そして、記録ヘッド１９からインクが吐出されることにより、用紙Ｐの表面に対して印刷が行われる。
【００３１】
そして、１枚目の用紙Ｐの表面側に対する印刷が終了すると、紙送りローラ対２８の駆動ローラ２６及び排紙ローラ対３０の駆動ローラ３４が共に逆方向に回転し始め、用紙Ｐが本体ケース１２内にバックフィードされる。すると、この用紙Ｐは、反転ユニット３７に案内され、紙送りローラ対２８の駆動ローラ２６及び排紙ローラ対３０の駆動ローラ３４が共に正方向に回転し初める。そして、反転ユニット３７において、用紙Ｐは、その表裏が反転され、紙送りローラ対２８側に再び給送される。
【００３２】
すると、今度は、用紙Ｐは、その裏面側が記録ヘッド１９のノズル形成面１９ａに対向するように排紙ローラ対３０に向けて給送される。その間に、用紙Ｐの裏面には、２ページ目の印刷が実行され、該印刷が終了すると、本体ケース１２外に排出される。
【００３３】
続いて、用紙給送装置２９、紙送りローラ対２８及び排紙ローラ対３０の駆動に基づいて、２枚目の用紙Ｐは、その表面が記録ヘッド１９のノズル形成面１９ａに対向するように給送され、３ページ目の印刷が実行される。その後、この２枚目の用紙Ｐは、本体ケース１２内にバックフィードされ、反転ユニット３７にて表裏が反転される。そして、この用紙Ｐは、その裏面が上側を向いた状態で紙送りローラ対２８側に給送される結果、その裏面側に４ページ目の印刷が実行され、印刷終了後に本体ケース１２外に排出される。なお、２枚目の用紙Ｐは、１枚目の用紙Ｐと同様に、その表面が下側を向いた状態で本体ケース１２外に排出される。すなわち、各用紙Ｐは、１ページ目から４ページ目までが連続した状態で本体ケース１２外に排出されたことになる。
【００３４】
さらに、用紙給送装置２９、紙送りローラ対２８及び排紙ローラ対３０の駆動に基づいて、３枚目の用紙Ｐは、その表面が記録ヘッド１９のノズル形成面１９ａに対向するように給送され、５ページ目の印刷が実行される。その後、この３枚目の用紙Ｐは、連続した頁の印刷情報に基づく印刷の最終ページが奇数であるため、ホストコンピュータ５６から受信した印刷情報に基づいた印刷が終了しても、本体ケース１２内にバックフィードされる。その間に、制御装置５０内では、白紙ページを作成するために擬似印刷情報が生成される。すなわち、印刷総ページ数が偶数となるように、所定処理（両面印刷処理におけるステップＳ２２）が実行される。
【００３５】
そして、本体ケース１２内にバックフィードされた用紙Ｐは、反転ユニット３７にて表裏が反転され、その裏面側に６ページ目として擬似印刷される。すなわち、最終ページとなる６ページ目には、白紙ページが挿入される。そして、３枚目の用紙Ｐは、１枚目や２枚目の用紙Ｐと同様に、その表面が下側を向いた状態で本体ケース１２外に排出される。すなわち、各用紙Ｐは、１ページ目から５ページ目までが連続した状態で本体ケース１２外に排出されたことになる。
【００３６】
したがって、本実施形態では、以下に示す効果を得ることができる。
（１）連続した頁の印刷情報に基づいた両面印刷が実行されている間に、両面フラグＢｆｌｇが「true」又は「false 」にセットされているかを確認することにより、用紙（ターゲット）Ｐの表面及び裏面のいずれが印刷されているかを判断できる。また、連続した頁の印刷情報に基づく最終ページが用紙Ｐの表面に印刷されたと判断された場合、所定処理（ステップＳ２２）が実行されることにより、最終ページが表面に印刷された用紙Ｐは、表裏が反転された状態でインクジェット式プリンタ（印刷装置）１１から排出される。すなわち、最終ページが印刷された用紙Ｐは、該用紙Ｐが印刷される以前に印刷された用紙Ｐと同様に、その表面側が下側を向いた状態で、インクジェット式プリンタ１１から排出される。したがって、各用紙Ｐに対して両面印刷をページ順に行った場合に、そのページ順に各用紙Ｐをそれぞれ排出することができる。
【００３７】
（２）最終ページが用紙（ターゲット）Ｐの表面に印刷されたと判断された場合、ＣＰＵ（白紙生成部）５１は、白紙ページの擬似印刷情報を生成し、該擬似印刷情報をＡＳＩＣ（排出制御部）５４に出力する。そして、擬似印刷情報がＡＳＩＣ５４に入力された場合、ＡＳＩＣ５４は、まだ印刷すべき印刷情報があるものと認識し、最終ページが表面に印刷された用紙Ｐを反転させ、擬似印刷情報に含まれる排紙コマンドに従って、印刷を行うことなく排出させるように、紙送り機構２５の駆動を制御する。その結果、最終ページが用紙Ｐの表面に印刷された場合に、該用紙Ｐを、その表裏を反転させた状態で本体ケース１２外に排出させることができる。
【００３８】
なお、上記実施形態は以下のような別の実施形態に変更してもよい。
・上記実施形態において、制御装置５０を、ＡＳＩＣ５４が白紙生成部として機能すると共に、ＣＰＵ５１が排出制御部として機能するように構成してもよい。
【００３９】
・上記実施形態において、ＣＰＵ５１が実行するタスク（処理）として、擬似印刷情報を生成するためのタスクと、紙送り機構２５の駆動を制御するためのタスクとを設けるようにしてもよい。この場合、ＣＰＵ５１が、白紙生成部及び排出制御部として機能することになる。
【００４０】
・上記実施形態において、両面印刷処理におけるステップＳ２２では、所定処理として、白紙ページを作成するように擬似印刷情報を生成するのではなく、最終ページに「印刷終了」という文字が印刷されるような処理を行ってもよい。
【００４１】
・上記実施形態において、印刷装置は、レーザー光を利用して感光体にトナー（黒炭の粉）を付着させ、それを熱と圧力で用紙に転写して印刷を行なう、所謂レーザプリンタに具体化してもよい。
【図面の簡単な説明】
【００４２】
【図１】本実施形態におけるインクジェット式プリンタの内部を示す概略斜視図。
【図２】本実施形態における紙送り機構の概略側断面図。
【図３】本実施形態における電気的構成を示すブロック回路図。
【図４】本実施形態における両面印刷処理ルーチンを示すフローチャート。
【符号の説明】
【００４３】
１１…インクジェット式プリンタ（印刷装置）、５０…制御装置（記憶手段、制御手段）、５１…ＣＰＵ（白紙生成部）、５４…ＡＳＩＣ（排出制御部）、Ｐ…用紙（ターゲット）。
【図１】
2008062601.tif 000003
【図２】
2008062601.tif 000004
【図３】
2008062601.tif 000005
【図４】
2008062601.tif 000006